(57)【要約】【課題】共通のベースプレートを使用することができる衛生洗浄装置を提供することを目的とする。【解決手段】ボウル部を有する便器に固定配置される衛生洗浄装置であって、人体洗浄機能部を搭載するベースプレートと、前記ベースプレートの後方部に組み付けられ前記人体洗浄機能部とは異なる他の機能部を搭載可能なアドオンプレートと、前記ベースプレートの側方部に組み付けられたスペーサプレートと、を備えたことを特徴とする衛生洗浄装置が提供される。【選択図】図２
2014163187.tif 000002
【特許請求の範囲】
【請求項１】
ボウル部を有する便器に固定配置される衛生洗浄装置であって、
人体洗浄機能部を搭載するベースプレートと、
前記ベースプレートの後方部に組み付けられ前記人体洗浄機能部とは異なる他の機能部を搭載可能なアドオンプレートと、
前記ベースプレートの側方部に組み付けられたスペーサプレートと、
を備えたことを特徴とする衛生洗浄装置。
【請求項２】
外観を形成し便座が取り付けられるケースカバーをさらに備え、
前記スペーサプレートが前記ベースプレートに組み付けられた状態において、前記スペーサプレートの側面と前記ケースカバーとの間に空間が存在することを特徴とする請求項１記載の衛生洗浄装置。
【請求項３】
外観を形成し便座が取り付けられるケースカバーをさらに備え、
前記スペーサプレートは、前記アドオンプレートと前記スペーサプレートの垂直面で接触する凹凸係合により前記アドオンプレートに組み付けられたことを特徴とする請求項１記載の衛生洗浄装置。
【請求項４】
外観を形成し便座が取り付けられるケースカバーをさらに備え、
前記ベースプレートは、側面において傾斜面を有し、
前記スペーサプレートは、前記傾斜面に対向する対向傾斜面を有し、
前記スペーサプレートが前記ベースプレートに組み付けられた状態において、前記傾斜面と前記対向傾斜面との間に空間が存在することを特徴とする請求項１記載の衛生洗浄装置。
【請求項５】
前記スペーサプレートは、前記ベースプレートに組み付けられた状態において前記便器と接触する接触面または前記便器との間に空間が存在し所定の荷重がかかると前記便器と接触し前記荷重を受ける接触面を有し、
角が削り取られた面取り部が前記接触面の周囲のうちの少なくとも一部に設けられたことを特徴とする請求項１〜４のいずれか１つに記載の衛生洗浄装置。
【発明の詳細な説明】
【技術分野】
【０００１】
本発明の態様は、一般的に、衛生洗浄装置に関する。
【背景技術】
【０００２】
一般的に、衛生洗浄装置は、人体洗浄機構などの機能部品を搭載するベースプレートを備える。衛生洗浄装置は、ベースプレートが便器に固定されることで便器に固定されている（特許文献１）。
【０００３】
ベースプレートの横幅（左右方向の幅）は、意匠性を考慮し、衛生洗浄装置が便器に固定された状態において、衛生洗浄装置の横幅が便器の横幅に合うように設定されている。そのため、便器の横幅に応じて、横幅が異なる種々のベースプレートを用意し使用する必要がある。しかし、全ての便器に対応可能なベースプレートを用意することは、現実的には困難である。また、コストがかかるという問題がある。
【０００４】
衛生洗浄装置は、種々の機能部品を備える。また、衛生洗浄装置に必要な機能部品は、製品（衛生洗浄装置）の機種に応じて異なる。この点においても、ベースプレートの共通化が困難なものとなっている。
【先行技術文献】
【特許文献】
【０００５】
【特許文献１】特開２００３−２６８８５４号公報
【発明の概要】
【発明が解決しようとする課題】
【０００６】
本発明は、かかる課題の認識に基づいてなされたものであり、共通のベースプレートを使用することができる衛生洗浄装置を提供することを目的とする。
【課題を解決するための手段】
【０００７】
第１の発明は、ボウル部を有する便器に固定配置される衛生洗浄装置であって、人体洗浄機能部を搭載するベースプレートと、前記ベースプレートの後方部に組み付けられ前記人体洗浄機能部とは異なる他の機能部を搭載可能なアドオンプレートと、前記ベースプレートの側方部に組み付けられたスペーサプレートと、を備えたことを特徴とする衛生洗浄装置である。
【０００８】
この衛生洗浄装置によれば、ベースプレートを共通化することができる。つまり、製品毎に横幅が異なる種々のベースプレートを用意する必要がなく、共通のベースプレートを使用することができる。そのため、コストの削減を図ることができる。
【０００９】
第２の発明は、第１の発明において、外観を形成し便座が取り付けられるケースカバーをさらに備え、前記スペーサプレートが前記ベースプレートに組み付けられた状態において、前記スペーサプレートの側面と前記ケースカバーとの間に空間が存在することを特徴とする衛生洗浄装置である。
【００１０】
この衛生洗浄装置によれば、着座等による荷重が便座を介してケースカバーかかった場合でも、その比較的強い荷重がスペーサプレートにかかることはない。そのため、スペーサプレートとケースカバーとの接触による異音の発生を抑制することができる。
【００１１】
第３の発明は、第１の発明において、外観を形成し便座が取り付けられるケースカバーをさらに備え、前記スペーサプレートは、前記アドオンプレートと前記スペーサプレートの垂直面で接触する凹凸係合により前記アドオンプレートに組み付けられたことを特徴とする衛生洗浄装置である。
【００１２】
この衛生洗浄装置によれば、凹凸係合において、凸部の表面は、着座等による荷重に対して垂直方向に凹部の表面と面接触している。そのため、凸部の表面が凹部の表面と接触した状態で移動することを抑えることができる。これにより、着座等による荷重が便座、ケースカバーおよびベースプレートを介してアドオンプレートにかかった場合に、荷重がアドオンプレートからスペーサプレートにかかっても、スペーサプレートがアドオンプレートと接触した状態で移動することはない。そのため、スペーサプレートとアドオンプレートとの接触による異音の発生を抑制することができる。
【００１３】
第４の発明は、第１の発明において、外観を形成し便座が取り付けられるケースカバーをさらに備え、前記ベースプレートは、側面において傾斜面を有し、前記スペーサプレートは、前記傾斜面に対向する対向傾斜面を有し、前記スペーサプレートが前記ベースプレートに組み付けられた状態において、前記傾斜面と前記対向傾斜面との間に空間が存在することを特徴とする衛生洗浄装置である。
【００１４】
この衛生洗浄装置によれば、着座等による荷重が便座およびケースカバーを介してベースプレートにかかった場合でも、荷重がベースプレートからスペーサプレートにかかることはない。そのため、スペーサプレートとベースプレートとの接触による異音の発生を抑制することができる。
【００１５】
第５の発明は、第１〜４のいずれか１つの発明において、前記スペーサプレートは、前記ベースプレートに組み付けられた状態において前記便器と接触する接触面または前記便器との間に空間が存在し所定の荷重がかかると前記便器と接触し前記荷重を受ける接触面を有し、角が削り取られた面取り部が前記接触面の周囲のうちの少なくとも一部に設けられたことを特徴とする衛生洗浄装置である。
【００１６】
この衛生洗浄装置によれば、面取り部が設けられていない場合と比較すると、スペーサプレートと便器との接触面積を減らすことができる。そのため、スペーサプレートと便器との接触による異音の発生を抑制することができる。
【発明の効果】
【００１７】
本発明の態様によれば、共通のベースプレートを使用することができる衛生洗浄装置が提供される。
【図面の簡単な説明】
【００１８】
【図１】本発明の実施の形態にかかる衛生洗浄装置を表す模式的斜視図である。
【図２】本実施形態にかかる衛生洗浄装置を表す模式的分解図である。
【図３】本実施形態にかかる衛生洗浄装置を上方から眺めた模式的平面図である。
【図４】比較例にかかる衛生洗浄装置を上方から眺めた模式的平面図である。
【図５】本発明者が部品同士の接触による異音について検討した結果の一例を例示する模式的平面図である。
【図６】本実施形態にかかる衛生洗浄装置を上方から眺めた模式的平面図である。
【図７】スペーサプレートとケースカバーとの接触の具体例を例示する模式的断面図である。
【図８】スペーサプレートとアドオンプレートとの接触の具体例を例示する模式図である。
【図９】スペーサプレートとアドオンプレートとの接触の具体例を例示する模式図である。
【図１０】本実施形態にかかる衛生洗浄装置を上方から眺めた模式的平面図である。
【図１１】スペーサプレートとベースプレートとの接触の具体例を例示する模式的平面図である。
【図１２】第１のサイドプレートを底面の側から眺めた模式的平面図である。
【図１３】第１のサイドプレートの取付構造の具体例を例示する模式的斜視図である。
【図１４】第１のサイドプレートの取付構造の具体例を例示する模式的斜視図である。
【図１５】第１のサイドプレートの取付構造の具体例を例示する模式的斜視図である。
【図１６】第１のサイドプレートの取付構造の具体例を例示する模式的斜視図である。
【図１７】第１のサイドプレートの取付構造の具体例を例示する模式的断面図である。
【図１８】第２のサイドプレートの取付構造の具体例を例示する模式図である。
【図１９】第２のサイドプレートの取付構造の具体例を例示する模式図である。
【図２０】第２のサイドプレートの取付構造の具体例を例示する模式図である。
【図２１】第２のサイドプレートの取付構造の具体例を例示する模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を表す模式的斜視図である。  
図２は、本実施形態にかかる衛生洗浄装置を表す模式的分解図である。  
図３は、本実施形態にかかる衛生洗浄装置を上方から眺めた模式的平面図である。  
図４は、比較例にかかる衛生洗浄装置を上方から眺めた模式的平面図である。
【００２０】
本実施形態にかかる衛生洗浄装置１０は、ボウル部８０１を有する洋式腰掛便器（以下説明の便宜上、単に「便器」と称する）８００の上に配置され、便器８００に固定されている。衛生洗浄装置１０は、ベースプレート１００と、アドオンプレート２００と、スペーサプレート３００と、ケースカバー４００と、を備える。ベースプレート１００、アドオンプレート２００、スペーサプレート３００およびケースカバー４００は、例えば樹脂材料によりそれぞれ形成されている。
【００２１】
便座５００は、ケースカバー４００に対して開閉自在に軸支されている。便蓋（図示せず）が設けられる場合には、便蓋は、便座５００と同様にケースカバー４００に対して開閉自在に軸支される。
【００２２】
ベースプレート１００には、便座５００に座った使用者の「おしり」などの洗浄を実現する人体洗浄機能部が搭載される。例えば、ベースプレート１００あるいはケースカバー４００には、使用者が便座５００に座ったことを検知する着座検知センサ（図示せず）が設けられている。着座検知センサが便座５００に座った使用者を検知している場合において、使用者が例えばリモコンなどの操作部（図示せず）を操作すると、洗浄ノズル（図示せず）を便器８００のボウル部８０１内に進出させることができる。
【００２３】
そして、洗浄ノズルは、その先端部に設けられた吐水口から水を噴射して、便座５００に座った使用者の「おしり」などを洗浄することができる。なお、本願明細書において「水」という場合には、冷水のみならず、加熱されたお湯も含むものとする。
【００２４】
図２に表した矢印Ａ１のように、アドオンプレート２００は、ベースプレート１００の後方部に組み付けられる。また、アドオンプレート２００は、便器８００に固定される。アドオンプレート２００には、人体洗浄機能部とは異なる他の機能部が搭載されている。例えば、アドオンプレート２００には、脱臭ダクトなどが搭載されている。
【００２５】
なお、本願明細書においては、便座５００に座った使用者からみて上方を「上方」とし、便座５００に座った使用者からみて下方を「下方」とする。また、便座５００に座った使用者からみて前方を「前方」とし、便座５００に座った使用者からみて後方を「後方」とする。あるいは、便器８００の方向を向いて便器８００の前に立った使用者からみて手前側を「前方」とし、便器８００の方向を向いて便器８００の前に立った使用者からみて奥側を「後方」とする。また、便器８００の方向を向いて便器８００の前に立った使用者からみて右側を「右側方」とし、便器８００の方向を向いて便器８００の前に立った使用者からみて左側を「左側方」とする。
【００２６】
スペーサプレート３００は、第１のサイドプレート３１０と、第２のサイドプレート３２０と、を有する。スペーサプレート３００は、ベースプレート１００の側方部に組み付けられる。具体的には、図２に表した矢印Ａ２のように、第１のサイドプレート３１０は、ベースプレート１００の左側方部に組み付けられる。図２に表した矢印Ａ３のように、第２のサイドプレート３２０は、ベースプレート１００の右側方部に組み付けられる。
【００２７】
図１および図３に表したように、ケースカバー４００は、ベースプレート１００と、アドオンプレート２００と、スペーサプレート３００と、を上方から覆い、衛生洗浄装置１０の外形を形成する。
【００２８】
ここで、例えば図４に表した比較例にかかる衛生洗浄装置１０ａは、ベースプレート１００ａと、アドオンプレート２００ａと、ケースカバー４００ａと、を備える一方で、スペーサプレート３００を備えていない。そのため、衛生洗浄装置１０ａは、スペーサプレート３００により衛生洗浄装置１０ａ自身の横幅を調整することはできない。
【００２９】
一般的には、ベースプレートの横幅は、意匠性を考慮し、衛生洗浄装置が便器に固定された状態において、衛生洗浄装置の横幅が便器の横幅に合うように設定されている。そのため、便器の横幅に応じて、横幅が異なる種々のベースプレートを用意し使用する必要がある。しかし、全ての便器に対応可能なベースプレートを用意することは、現実的には困難である。また、コストがかかるという問題がある。  
さらに、衛生洗浄装置は、種々の機能部品を備える。また、衛生洗浄装置に必要な機能部品は、製品（衛生洗浄装置）の機種に応じて異なる。この点においても、ベースプレートの共通化が困難なものとなっている。
【００３０】
これに対して、本実施形態にかかる衛生洗浄装置１０は、ベースプレート１００と、アドオンプレート２００と、スペーサプレート３００と、を備える。スペーサプレート３００は、ベースプレート１００の側方部に組み付けられ、衛生洗浄装置１０の横幅を調整することができる。つまり、図１および図３に表したように、スペーサプレート３００は、衛生洗浄装置１０の横幅を便器８００の横幅に合わせることができる。
【００３１】
これによれば、ベースプレート１００を共通化することができる。つまり、製品毎に横幅が異なる種々のベースプレートを用意する必要がなく、共通のベースプレート１００を使用することができる。そのため、コストの削減を図ることができる。
【００３２】
次に、本発明者が部品同士の接触による異音について検討した結果の一例について、図面を参照しつつ説明する。  
図５（ａ）〜図５（ｂ）は、本発明者が部品同士の接触による異音について検討した結果の一例を例示する模式的平面図である。
【００３３】
本発明者が得た知見によれば、部品同士の接触による異音は、接触している部位に比較的強い力がかかり、接触している部位が移動する際に発生していることが分かった。そして、図５（ａ）〜図５（ｃ）に表した手段のそれぞれが、部品同士の接触による異音を抑制する有効な手段の１つであることが分かった。
【００３４】
すなわち、図５（ａ）に表した手段は、第２の部品６２０が矢印Ａ１１のように第１の部品６１０の方へ移動しても、第２の部品６２０を第１の部品６１０に接触させないものである。これによれば、第２の部品６２０が第１の部品６１０と接触しないため、部品同士の接触による異音は生じない。
【００３５】
図５（ｂ）に表した手段は、第２の部品６２０が矢印Ａ１２のように第１の部品６１０の方へ移動し接触しても、第１の部品６１０および第２の部品６２０を荷重方向に対して垂直面で受けることで、接触した状態で移動させないものである。言い換えれば、図５（ｂ）に表した手段は、第１の部品６１０および第２の部品６２０が接触した状態で移動しない位置において、第２の部品６２０を第１の部品６１０に接触させるものである。これによれば、第２の部品６２０が第１の部品６１０の方へ移動し接触しても、接触による異音の発生を抑えることができる。
【００３６】
図５（ｃ）に表した手段は、第２の部品６２０が矢印Ａ１３のように第１の部品６１０の方へ移動し接触しても、比較的強い力が接触部分にかからないようにするものである。これによれば、第２の部品６２０が第１の部品６１０の方へ移動し接触しても、接触による異音の発生を抑えることができる。
【００３７】
次に、部品同士の接触の具体例について、図面を参照しつつ説明する。  
図６は、本実施形態にかかる衛生洗浄装置を上方から眺めた模式的平面図である。  
図７は、スペーサプレートとケースカバーとの接触の具体例を例示する模式的断面図である。  
図７（ａ）は、図６に表した切断面Ａ−Ａにおける模式的断面図である。図７（ｂ）は、図６に表した切断面Ｂ−Ｂにおける模式的断面図である。
【００３８】
図７（ａ）に表した具体例では、第１のサイドプレート３１０がベースプレート１００に組み付けられた状態において、第１のサイドプレート３１０は、側面３１１においてケースカバー４００の内面と接触する。このとき、第１のサイドプレート３１０は、オフセット面でケースカバー４００と接触する。そのため、接触面（第１のサイドプレート３１０の側面３１１およびケースカバー４００の内面）に比較的強い力（押し付け力）は発生しない。これにより、接触による異音の発生を抑えることができる。これは、図５（ｃ）に関して前述した手段に相当する。
【００３９】
図７（ｂ）に表した具体例では、第２のサイドプレート３２０がベースプレート１００に組み付けられた状態において、第２のサイドプレート３２０は、側面３２１においてケースカバー４００の内面と接触する。このとき、第２のサイドプレート３２０は、オフセット面でケースカバー４００と接触する。そのため、接触面（第２のサイドプレート３２０の側面３２１およびケースカバー４００の内面）に比較的強い力（押し付け力）は発生しない。これにより、接触による異音の発生を抑えることができる。これは、図５（ｃ）に関して前述した手段に相当する。
【００４０】
図８は、スペーサプレートとアドオンプレートとの接触の具体例を例示する模式図である。  
図８（ａ）は、ベースプレート１００、アドオンプレート２００および第１のサイドプレート３１０を左斜め上方から眺めた模式的斜視図である。図８（ｂ）は、図８（ａ）に表した領域Ａ３１を拡大して眺めた模式的拡大図であって、図８（ａ）に表した矢視Ａ２１の方向に眺めた模式的平面図である。
【００４１】
図８（ｂ）に表した具体例では、第１のサイドプレート３１０は、凹凸係合によりアドオンプレート２００に組み付けられている。すなわち、本具体例の第１のサイドプレート３１０は、アドオンプレート２００に組み付けられた状態においてアドオンプレート２００の側へ突出した凸部３１３を有する。アドオンプレート２００は、第１のサイドプレート３１０の凸部３１３と係合する第１の凹部２０１を有する。第１のサイドプレート３１０がアドオンプレート２００に組み付けられた状態では、第１のサイドプレート３１０の凸部３１３は、アドオンプレート２００の第１の凹部２０１と係合している。
【００４２】
これによれば、凸部３１３の表面は、着座等による荷重に対して垂直方向に第１の凹部２０１の表面と面接触している。そのため、凸部３１３の表面が第１の凹部２０１の表面と接触した状態で移動することを抑えることができる。これにより、着座等による荷重が便座５００、ケースカバー４００およびベースプレート１００を介してアドオンプレート２００にかかった場合に、比較的強い荷重がアドオンプレート２００から第１のサイドプレート３１０にかかっても、第１のサイドプレート３１０がアドオンプレート２００と接触した状態で移動することはない。そのため、第１のサイドプレート３１０とアドオンプレート２００との接触による異音の発生を抑制することができる。これは、図５（ｂ）に関して前述した手段に相当する。
【００４３】
あるいは、第１のサイドプレート３１０は、オフセット面でアドオンプレート２００と垂直方向の面で接触する。そのため、接触面（凸部３１３の表面および第１の凹部２０１の表面）に比較的強い力（押し付け力）は発生しない。これにより、接触による異音の発生を抑えることができる。これは、図５（ｃ）に関して前述した手段に相当する。
【００４４】
なお、第１のサイドプレート３１０は、凸部３１３を有することに限定されず、凹部を有していてもよい。また、アドオンプレート２００は、第１の凹部２０１を有することに限定されず、凸部を有していてもよい。
【００４５】
図９は、スペーサプレートとアドオンプレートとの接触の具体例を例示する模式図である。  
図９（ａ）は、ベースプレート１００、アドオンプレート２００および第２のサイドプレート３２０を右斜め上方から眺めた模式的斜視図である。図９（ｂ）は、図９（ａ）に表した領域Ａ３２を拡大して眺めた模式的拡大図であって、図９（ａ）に表した矢視Ａ２２の方向に眺めた模式的平面図である。
【００４６】
図９（ｂ）に表した具体例では、第２のサイドプレート３２０は、凹凸係合によりアドオンプレート２００に組み付けられている。すなわち、本具体例の第２のサイドプレート３２０は、アドオンプレート２００に組み付けられた状態においてアドオンプレート２００の側へ突出した凸部３２３を有する。アドオンプレート２００は、第２のサイドプレート３２０の凸部３２３と係合する第２の凹部２０３を有する。第２のサイドプレート３２０がアドオンプレート２００に組み付けられた状態では、第２のサイドプレート３２０の凸部３２３は、アドオンプレート２００の第２の凹部２０３と係合している。
【００４７】
これによれば、凸部３２３の表面は、着座等による荷重に対して垂直方向に第２の凹部２０３の表面と面接触している。そのため、凸部３２３の表面が第２の凹部２０３の表面と接触した状態で移動することを抑えることができる。これにより、着座等による荷重が便座５００、ケースカバー４００およびベースプレート１００を介してアドオンプレート２００にかかった場合に、比較的強い荷重がアドオンプレート２００から第２のサイドプレート３２０にかかっても、第２のサイドプレート３２０がアドオンプレート２００と接触した状態で移動することはない。そのため、第２のサイドプレート３２０とアドオンプレート２００との接触による異音の発生を抑制することができる。これは、図５（ｂ）に関して前述した手段に相当する。
【００４８】
あるいは、第２のサイドプレート３２０は、オフセット面でアドオンプレート２００と垂直方向の面で接触する。そのため、接触面（凸部３２３の表面および第２の凹部２０３の表面）に比較的強い力（押し付け力）は発生しない。これにより、接触による異音の発生を抑えることができる。これは、図５（ｃ）に関して前述した手段に相当する。
【００４９】
なお、第２のサイドプレート３２０は、凸部３２３を有することに限定されず、凹部を有していてもよい。また、アドオンプレート２００は、第２の凹部２０３を有することに限定されず、凸部を有していてもよい。
【００５０】
図１０は、本実施形態にかかる衛生洗浄装置を上方から眺めた模式的平面図である。  
図１１は、スペーサプレートとベースプレートとの接触の具体例を例示する模式的平面図である。  
図１１（ａ）は、図１０に表した矢視Ａ２３の方向に眺めた模式的平面図である。図１１（ｂ）は、図１０に表した矢視Ａ２４の方向に眺めた模式的平面図である。
【００５１】
図１１（ａ）に表した具体例では、第１のサイドプレート３１０は、側面において傾斜面３１５を有する。ベースプレート１００は、外面において第１のサイドプレート３１０の傾斜面３１５と対向する第１の対向傾斜面１０１を有する。図１１（ａ）に表したように、第１のサイドプレート３１０がベースプレート１００に組み付けられた状態において、第１のサイドプレート３１０の傾斜面３１５と、ベースプレート１００の第１の対向傾斜面１０１と、の間には空間が存在する。これによれば、着座等による荷重が便座５００およびケースカバー４００を介してベースプレート１００にかかった場合でも、荷重がベースプレート１００から第１のサイドプレート３１０にかかることはない。そのため、第１のサイドプレート３１０とベースプレート１００との接触による異音の発生を抑制することができる。これは、図５（ａ）に関して前述した手段に相当する。
【００５２】
図１１（ｂ）に表した具体例では、第２のサイドプレート３２０は、側面において傾斜面３２５を有する。ベースプレート１００は、外面において第２のサイドプレート３２０の傾斜面３２５と対向する第２の対向傾斜面１０３を有する。図１１（ｂ）に表したように、第２のサイドプレート３２０がベースプレート１００に組み付けられた状態において、第２のサイドプレート３２０の傾斜面３２５と、ベースプレート１００の第２の対向傾斜面１０３と、の間には空間が存在する。これによれば、着座等による荷重が便座５００およびケースカバー４００を介してベースプレート１００にかかった場合でも、荷重がベースプレート１００から第２のサイドプレート３２０にかかることはない。そのため、第２のサイドプレート３２０とベースプレート１００との接触による異音の発生を抑制することができる。これは、図５（ａ）に関して前述した手段に相当する。
【００５３】
図１２は、第１のサイドプレートを底面の側から眺めた模式的平面図である。  
本具体例では、スペーサプレート（ここでは第２のサイドプレート３２０）３００と便器８００との接触の具体例について、図面を参照しつつ説明する。
【００５４】
第２のサイドプレート３２０は、第２のサイドプレート３２０がベースプレート１００に組み付けられた状態において便器８００の上面と接触する。具体的には、第２のサイドプレート３２０は、第１の底面３２７および第２の底面３２８において便器８００の上面と接触する。
【００５５】
第１の底面３２７の周囲のうちの少なくとも一部には、角が削り取られた第１の面取り部３２７ａが設けられている。第２の底面３２８の周囲のうちの少なくとも一部には、角が削り取られた第２の面取り部３２８ａが設けられている。これによれば、第１の面取り部３２７ａおよび第２の面取り部３２８ａが設けられていない場合と比較すると、第２のサイドプレート３２０と便器８００との接触面積を減らすことができる。そのため、第２のサイドプレート３２０と便器８００との接触による異音の発生を抑制することができる。
【００５６】
なお、本具体例では、第２のサイドプレート３２０が有する面取り部３２７ａ、３２８ａについて説明した。本具体例において説明した面取り部は、第１のサイドプレート３１０に設けられていてもよい。
【００５７】
次に、スペーサプレートの取付構造の具体例について、図面を参照しつつ説明する。  
図１３〜図１６は、第１のサイドプレートの取付構造の具体例を例示する模式的斜視図である。  
図１７は、第１のサイドプレートの取付構造の具体例を例示する模式的断面図である。  図１４は、本実施形態の第１のサイドプレートを図１３に表した矢視Ａ２６の方向にみたときの模式的斜視図である。  
図１７（ａ）は、図１６に表した切断面Ｃ−Ｃにおける模式的断面図である。図１７（ｂ）は、図１６に表した切断面Ｄ−Ｄにおける模式的断面図である。
【００５８】
図１３に表した矢印Ａ１５のように、第１のサイドプレート３１０は、ベースプレート１００の左側方部に差し込まれ取り付けられる。このとき、図１４に表したように、第１のサイドプレート３１０の凸部３１３の先端部には、第１の面取り部３１３ａおよび第２の面取り部３１３ｂが設けられている。これにより、第１の面取り部３１３ａおよび第２の面取り部３１３ｂが設けられていない場合と比較すると、第１のサイドプレート３１０の凸部３１３をアドオンプレート２００の第１の凹部２０１に挿入しやすい。また、凸部３１３と第１の凹部２０１とにおける凹凸構造により、第１のサイドプレート３１０がベースプレート１００に組み付けられた状態において第１のサイドプレート３１０の上下方向の位置が規制される。
【００５９】
図１４、図１５、図１６および図１７（ｂ）に表したように、第１のサイドプレート３１０は、第１のフック部３１７ａと、第２のフック部３１７ｂと、第１の押さえ部３１８ａと、第２の押さえ部３１８ｂと、を有する。第１のサイドプレート３１０がベースプレート１００に組み付けられた状態において、第１のフック部３１７ａは、ベースプレート１００の上部と係合している。第１のサイドプレート３１０がベースプレート１００に組み付けられた状態において、第２のフック部３１７ｂは、ベースプレート１００の下部と係合している。これにより、第１のサイドプレート３１０がベースプレート１００から外れるあるいは抜けることを抑制することができる。
【００６０】
図１５に表したように、ベースプレート１００は、左側方部に設けられた補助操作部１０５を有する。第１のサイドプレート３１０は、開口部３１９を有する。第１のサイドプレート３１０がベースプレート１００に組み付けられた状態において、ベースプレート１００の補助操作部１０５は、第１のサイドプレート３１０の開口部３１９に挿入され、周囲を開口部３１９により略固定される。これにより、第１のサイドプレート３１０の前後方向の位置が規制される。
【００６１】
図１７（ａ）に表したように、第１のサイドプレート３１０は、突起部３１２を有する。突起部３１２は、ベースプレート１００の給水ホース接続部へ差し込まれる。
【００６２】
図１８〜図２１は、第２のサイドプレートの取付構造の具体例を例示する模式図である。  
図１９は、本実施形態の第２のサイドプレートを図１８に表した矢視Ａ２７の方向にみたときの模式的斜視図である。  
図２１（ｂ）は、図２１（ａ）に表した切断面Ｅ−Ｅにおける模式的断面図である。
【００６３】
図１８に表した矢印Ａ１６のように、第２のサイドプレート３２０は、ベースプレート１００の右側方部に差し込まれ取り付けられる。このとき、図１９に表したように、第２のサイドプレート３２０の凸部３２３の先端部には、第１の面取り部３２３ａおよび第２の面取り部３２３ｂが設けられている。これにより、第１の面取り部３２３ａおよび第２の面取り部３２３ｂが設けられていない場合と比較すると、第２のサイドプレート３２０の凸部３２３をアドオンプレート２００の第２の凹部２０３に挿入しやすい。また、凸部３２３と第２の凹部２０３とにおける凹凸構造により、第２のサイドプレート３２０がベースプレート１００に組み付けられた状態において第２のサイドプレート３２０の上下方向の位置が規制される。
【００６４】
図１９、図２０および図２１（ｂ）に表したように、第２のサイドプレート３２０は、第１のフック部３２２ａと、第２のフック部３２２ｂと、第３のフック部３２９ａと、押さえ部３２４と、を有する。第１のフック部３２２ａおよび第２のフック部３２２ｂのそれぞれは、第２のサイドプレート３２０がベースプレート１００に組み付けられた状態において、ベースプレート１００の上部と係合している。第３のフック部３２９ａは、第２のサイドプレート３２０がベースプレート１００に組み付けられた状態において、ベースプレート１００の下部と係合している。これにより、第２のサイドプレート３２０がベースプレート１００から外れるあるいは抜けることを抑制することができる。
【００６５】
図１８、図１９および図２１（ａ）に表したように、第２のサイドプレート３２０は、突起部３２９を有する。図２１（ａ）に表したように、ベースプレート１００は、下部に設けられた溝１０７を有する。図２１（ａ）に表したように、第２のサイドプレート３２０がベースプレート１００に組み付けられた状態では、第２のサイドプレート３２０の突起部３２９は、ベースプレート１００の溝１０７に差し込まれている。これにより、第２のサイドプレート３２０の前後方向の位置が規制される。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ベースプレート１００、アドオンプレート２００、スペーサプレート３００およびケースカバー４００などが備える各要素の形状、寸法、材質、配置などやスペーサプレート３００の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１０、１０ａ 衛生洗浄装置、  １１ 第１の固定点、  １２ 第２の固定点、  １３ 第３の固定点、  １００、１００ａ ベースプレート、  １０１ 第１の対向傾斜面、  １０３ 第２の対向傾斜面、  １０５ 補助操作部、  １０７ 溝、  ２００、２００ａ アドオンプレート、  ２０１ 第１の凹部、  ２０３ 第２の凹部、  ３００ スペーサプレート、  ３１０ 第１のサイドプレート、  ３１１ 側面、  ３１２ 突起部、  ３１３ 凸部、  ３１３ａ 第１の面取り部、  ３１３ｂ 第２の面取り部、  ３１５ 傾斜面、  ３１７ａ 第１のフック部、  ３１７ｂ 第２のフック部、  ３１８ａ 第１の押さえ部、  ３１８ｂ 第２の押さえ部、  ３１９ 開口部、  ３２０ 第２のサイドプレート、  ３２１ 側面、  ３２２ａ 第１のフック部、  ３２２ｂ 第２フック部、  ３２３ 凸部、  ３２３ａ 第１の面取り部、  ３２３ｂ 第２の面取り部、  ３２４ 押さえ部、  ３２５ 傾斜面、  ３２７ 第１の底面、  ３２７ａ 第１の面取り部、  ３２８ 第２の底面、  ３２８ａ 第２の面取り部、  ３２９ 突起部、  ３２９ａ 第３のフック部、  ４００ ケースカバー、  ４００ａ ケースカバー、  ５００ 便座、  ６１０ 第１の部品、  ６２０ 第２の部品、  ８００ 便器、  ８０１ ボウル部
【図１】
2014163187.tif 000003
【図２】
2014163187.tif 000004
【図３】
2014163187.tif 000005
【図４】
2014163187.tif 000006
【図５】
2014163187.tif 000007
【図６】
2014163187.tif 000008
【図７】
2014163187.tif 000009
【図８】
2014163187.tif 000010
【図９】
2014163187.tif 000011
【図１０】
2014163187.tif 000012
【図１１】
2014163187.tif 000013
【図１２】
2014163187.tif 000014
【図１３】
2014163187.tif 000015
【図１４】
2014163187.tif 000016
【図１５】
2014163187.tif 000017
【図１６】
2014163187.tif 000018
【図１７】
2014163187.tif 000019
【図１８】
2014163187.tif 000020
【図１９】
2014163187.tif 000021
【図２０】
2014163187.tif 000022
【図２１】
2014163187.tif 000023